(57)【要約】【課題】該上カバーの内壁に凝集された水滴が該上カバーの内壁に沿って凹溝内に滑り落ち収集されるようにする。【解決手段】乾燥機は、乾燥機本体と、駆動装置と、凹溝と、上カバーとを含む。該凹溝は該乾燥機本体の上向き開口周囲にリング状に設置され、該上カバーはテーパ状で、該乾燥機本体の開口に設置され、該上カバーの底部エッジが該凹溝に置かれた。本発明の乾燥機は内壁に凝集された水滴を案内でき、水滴が乾燥したもの中に落され乾燥時間が延長することが避けられ、エネルギーのロスを減少させるとともに高温乾燥滅菌効果を維持し、有毒ガスによる環境の汚染が避けられる。又、熱絶縁部材の熱絶縁効果により、乾燥機本体が高温に維持される。【選択図】図３Ａ
2008304102.tif 000002
【特許請求の範囲】
【請求項１】
上向きの開口を有する乾燥機本体と、
前記乾燥機本体に接続される駆動装置と、
前記乾燥機本体に接続される制御装置と、
前記乾燥機本体の上向き開口周囲に設置される凹溝と、
前記乾燥機本体の開口に設置され、その底部エッジが前記凹溝に置かれ、テーパ端角度が０°を超え３５°以下であるテーパ状の上カバーと、前記凹溝に設けられかつ前記乾燥機本体と前記上カバーとの間に位置され、熱が乾燥機本体から前記上カバーへの転送を遮断する熱絶縁部材と、を含む乾燥機。
【請求項２】
前記凹溝は、前記乾燥機本体と一体成形され、或いは、締め付けまたは溶接の方式で乾燥機本体に固定されることを特徴とする請求項１記載の乾燥機。
【請求項３】
前記凹溝は、四方枠状や五方枠状、円枠状のいずれかであることを特徴とする請求項１記載の乾燥機。
【請求項４】
前記上カバーのテーパ端の角度が３０°であることを特徴とする請求項１記載の乾燥機。
【請求項５】
前記上カバーは、横たわる三角柱状や四角テーパ状、五角テーパ状、円錐状のいずれかであることを特徴とする請求項１記載の乾燥機。
【請求項６】
前記凹溝は、前記上カバーの底部エッジと一体成形され、或いは、締め付けまたは溶接の方式で前記上カバーの底部エッジに固定されることを特徴とする請求項１記載の乾燥機。
【請求項７】
前記凹溝は、さらに排水管に接続されることを特徴とする請求項１記載の乾燥機。
【請求項８】
前記上カバーの外壁にはさらに複数の散熱片または冷却システムが設置されていることを特徴とする請求項１記載の乾燥機。
【発明の詳細な説明】
【技術分野】
【０００１】
本発明は、乾燥機に係り、特に、乾燥機の内壁に凝集された水滴が乾燥したものに落されることを避けることができる乾燥機に関するものである。
【背景技術】
【０００２】
乾燥機は、物の中に含まれる水分を蒸発するため、乾燥の時に大量の水蒸気が発生してしまう。
【０００３】
一般に、密閉の空間であるほど乾燥の速度が早くなり、それは、主に乾燥機内部の温度を維持できるため、乾燥機内部の温度が急速に向上し高温に維持される。しかし、密閉の空間では、水蒸気が乾燥機の内壁に接触すると、水蒸気が乾燥機の内壁に凝集して水滴になり、内壁上の水滴が重力によって乾燥したものの中に落され、乾燥時間が延長され、より多くの熱エネルギーが費やされる。
【０００４】
そのため、従来の乾燥機１は、大体、図１に示すようにガス経路１１が設けられ、或いは図２に示すように空気乾燥機１２などが外部に接続される。いずれも水蒸気が乾燥機１内に残留して内壁に凝集され、さらに乾燥したものの中に落ちることを避けるためである。しかし、高温の水蒸気を排出すれば、比較的に乾燥した低温空気が進入してしまい、乾燥機１内の温度が低下するため、温度再上昇の時間がかかり、エネルギーの無駄になり、乾燥機内部は高温を維持できなくなる。また、水蒸気を持続的に排出すれば、被乾燥物の気味が外に漏れるようになり、乾燥物の風味が低下する。しかも、被乾燥物が毒性や悪臭を有すれば、排出された水蒸気が環境の汚染源になってしまう。
【０００５】
密閉空間で乾燥効果を増加し、乾燥機の内壁に凝集された水滴が乾燥したものの中に落ちることを避け、エネルギーの消費を減少し、汚染物が発生することを避けるため、本発明者は、合理な設計且つ前記の問題点を有効に改良できた本発明を提案した。
【発明の開示】
【発明が解決しようとする課題】
【０００６】
本発明の主な目的は、内壁に凝集された水滴を案内でき、水滴が乾燥したもの中に落され乾燥時間が延長することが避けられ、エネルギーのロスを減少させるとともに高温乾燥滅菌効果を維持し、有毒ガスによる環境の汚染が避けられる乾燥機を提供する。
【０００７】
本発明の他の目的は、熱絶縁部材の熱絶縁効果により、乾燥機本体が高温に維持される乾燥機を提供する。
【課題を解決するための手段】
【０００８】
前記目的を達成するため、本発明は、上向きの開口を有する乾燥機本体と、前記乾燥機本体に接続される駆動装置と、前記乾燥機本体に接続される制御装置と、前記乾燥機本体の上向き開口周囲に設置される凹溝と、前記乾燥機本体の開口に設置され、その底部エッジが前記凹溝に置かれ、テーパ端角度が０°以上３５°以下であるテーパ状の上カバーと、前記凹溝に設けられかつ前記乾燥機本体と前記上カバーとの間に位置され、熱が乾燥機本体から前記上カバーへの転送を遮断する熱絶縁部材と、を含む乾燥機。乾燥機が使用される時に、水蒸気が上昇し水滴として前記上カバーの内壁に凝集され、水滴が上カバーの角度で前記上カバーの内壁に沿って滑り落ち、水滴が乾燥したものの中に直接に落ちることを避ける。前記凹溝は、凝結した水滴を収集し、水滴が前記上カバーの内壁に沿って乾燥したものの中に落ちることを避ける。
【発明の効果】
【０００９】
このような特徴を有する本発明によれば内壁に凝集された水滴を案内でき、水滴が乾燥したものの中に落され乾燥時間が延長することが避けられ、エネルギーのロスを減少させるとともに高温乾燥滅菌効果を維持し、有毒ガスによる環境の汚染を避けることができる。又、熱絶縁部材の熱絶縁効果により、乾燥機本体が高温に維持される。
【００１０】
本発明の特徴および技術内容をより詳しく了解するために、以下に本発明に関わる詳細な説明及び添付図面を参照するが、それらの添付図面が参考及び説明のみに使われ、本発明の主張範囲を狭義的に局限するものではないことは言うまでもないことである。
【発明を実施するための最良の形態】
【００１１】
図３Ａ〜図４Ｂを参照すると、本発明の乾燥機２は、乾燥機本体２１、駆動装置２２、凹溝２３、上カバー２４、制御装置２５および凹溝２３内に設けられた熱絶縁部材３を含む。乾燥機本体２１は、上向きの開口２１１を有し、乾燥機本体２１の内部には加熱装置及び攪拌装置が設けられる（図略、加熱装置及び攪拌装置が従来のものであるため、説明せず）。駆動装置２２は、モータであって、乾燥機本体２１の下方に設けられ、かつ乾燥機本体２１に接続される。駆動装置２２は、乾燥機本体２１内部の攪拌装置を駆動し、乾燥すべきものを攪拌し、該乾燥すべきものが均一に乾燥される。制御装置２５は、駆動装置２２及び加熱装置をオン及びオフし、乾燥機２の稼働を制御する。凹溝２３は、乾燥機本体２１の開口２１１の周囲にリング状に設けられ、図３Ｂに示すように凹溝２３上には排水管２３１が接続され凹溝２３内に収集された水分を排出する。上カバー２４は、放熱効果の良い金属、例えば、銀や、銅またはアルミニウム等からなり、乾燥機本体２１の開口２１１に設けられ、乾燥機本体２１の内部が密閉空間になり、乾燥効果を向上させる。また、該熱絶縁部材３は、該乾燥機本体３と該上カバー２４との間に位置され、熱の乾燥機本体２１から該上カバー２４への放熱を遮断して、乾燥機本体２１が常に高温状態に維持される。また、上カバー２４はテーパ状で、そのテーパ端角度が０°を超え３５°以下であり、かつ３０°であるのが好ましい。乾燥機２が使用される時に発生した水蒸気が、上カバー２４の内壁に凝集され、形成された水滴が上カバー２４の内壁に沿って滑り落ち、乾燥したものの中に垂直に落されない。また、上カバー２４の底部エッジ２４２が凹溝２３上に置かれるため、上カバー２４に沿って滑り落ちた水滴が、凹溝２３内に収集され、水滴が乾燥したものの中に落されることを防止できる。また、凹溝２３には排水管２３１が接続され、凹溝２３内に収集された水分を排出できる。
【００１２】
乾燥機２を使用する際、被乾燥物が水蒸気を発生し、水蒸気が上昇して上カバー２４の内壁に接触すると、上カバー２４の内壁上に凝集され水滴になり、水滴が上カバー２４の内壁に沿って凹溝２３内に滑り落ち収集される。このように、密閉空間内に乾燥され、乾燥したものが再び湿ることが避けられ、乾燥時間を節約しエネルギーの消費が減少でき、良好な乾燥効果を達成できる。密閉空間内に乾燥され、さらに水蒸気が上カバー２４の内壁に凝集され、水蒸気が外へ漏れることを防ぐため、乾燥機２の内部には高温滅菌乾燥を維持でき、被乾燥物の一部が生じる有毒或いは悪臭のガスが水蒸気の漏れに伴って環境を汚染することを防止できる。
【００１３】
また、本発明の凹溝２３は、乾燥機本体２１と一体成形され、或いは、締め付けまたは溶接の方式で乾燥機本体２１の開口２１１に固定される。凹溝２３の形状は、乾燥機本体２１の開口２１１の形状に応じて開口２１１にリング状に設けられる。例えば、開口２１１が、四方形や五方形、円形または不規則な形状等であれば、凹溝２３は、四方枠状や五方枠状、円枠状乃至不規則な枠状である。同様に、上カバー２４の底部エッジ２４２の形状も、乾燥機本体２１の開口２１１の形状に応じて四方形や五方形、円形または不規則な形状等に変えられ、さらに、上カバー２４は、図３Ａに示すような横向きの三角柱状を除き、四角テーパ状や五角テーパ状、円錐状乃至不規則底面のテーパ状等であっても良い。上カバー２４のテーパ端２４１の角度が０°を超え３５°以下であれば、上カバー２４の内壁に凝集された水滴が内壁に沿って滑り落ちることができる。
【００１４】
図５Ａ及び図５Ｂに示すように、本発明の第２実施の形態の乾燥機２の凹溝２３も、上カバー２４の底部エッジ２４２に設けられ、乾燥機本体２１の開口２１１には、上カバー２４を置く支持部２１２が設けられる。上カバー２４が乾燥機本体２１にカバーすると、凹溝２３は、支持部２１２の支持によって乾燥機本体２１の開口２１１の周囲に位置し、かつ、凹溝２３が上カバー２４２の底部エッジ２４と一体成形でき、或いは、締め付けまたは溶接の方式で上カバー２４２の底部エッジ２４に固定される。同様に、乾燥の時に生じた水蒸気が上昇し上カバー２４の内壁に凝集され、水蒸気が凝集してなる水滴も上カバー２４の内壁に沿って凹溝２３内に滑り落ちて収集される。凹溝２３も同様に排水管２３１により（図３を参照すると）凹溝２３内に収集された水分を排出し、水分が収集されすぎ溢れることを避ける。
【００１５】
図６に示すように、本発明は、上カバー２４のテーパ端２４１の周囲に散熱片２４３または冷却システム（図略）を別に設置してもよい。これにより上カバー２４のテーパ端２４１の温度を加速的に低下させ、上カバー２４のテーパ端２４１の外壁と乾燥機本体２１の内部とが、比較的に大きな温度差（例えば、１０℃で、乾燥機本体２１の内部温度が水の沸点で、上カバー２４のテーパ端２４１が水の沸点−１０℃）を有し、乾燥によって発生した水蒸気が上カバー２４の内壁に急速に、かつより凝集され易くなり、乾燥時間を短縮させ、エネルギー節約の効果を増すことができる。
【００１６】
しかし、前記の説明は、単に本発明の好ましい具体的な実施の形態の詳細説明及び図面に過ぎず、本発明の特許請求の範囲を局限するものではなく、本発明の主張する範囲は、添付の特許請求の範囲に基づくべきであり、いずれの当該分野における通常の知識を有する専門家が本発明の分野の中で、適当に変更や修飾などを実施することもできるが、それらの実施が本発明の請求の範囲内に含まれるべきことは言うまでもないことである。
【図面の簡単な説明】
【００１７】
【図１】従来のガス経路のある乾燥機を示す図である。
【図２】従来のガス乾燥機を外接した乾燥機を示す図である。
【図３Ａ】本発明の第１実施の形態を示す斜視図である。
【図３Ｂ】図３のＡ部の拡大図である。
【図４Ａ】本発明の第１実施の形態の使用状態を示す図である。
【図４Ｂ】図４のＡ部の拡大図である。
【図５Ａ】本発明の第２実施の形態の使用状態を示す図である。
【図５Ｂ】図５のＡ部の拡大図である。
【図６】本発明の第３実施の形態の使用状態を示す図である。
【符号の説明】
【００１８】
１  乾燥機
１１  ガス経路
１２  空気乾燥機
２  乾燥機
３  熱絶縁部材
２１  乾燥機本体
２２  駆動装置
２３  凹溝
２４  上カバー
２５  制御装置
２１１  開口
２１２  支持部
２３１  排水管
２４１  テーパ端
２４２  底部エッジ
２４３  散熱片
【図１】
2008304102.tif 000003
【図２】
2008304102.tif 000004
【図３Ａ】
2008304102.tif 000005
【図３Ｂ】
2008304102.tif 000006
【図４Ａ】
2008304102.tif 000007
【図４Ｂ】
2008304102.tif 000008
【図５Ａ】
2008304102.tif 000009
【図５Ｂ】
2008304102.tif 000010
【図６】
2008304102.tif 000011